(57)【要約】      （修正有）【課題】鍵の管理の煩雑性を排し、施錠された状態であっても内部から開扉することができる仮設扉を提供する。【解決手段】仮設扉１は、建築現場の左右一対の支柱２０にクランプ部材２４を介して固定される扉枠２と、ヒンジ部材４を介して扉枠２に固定される扉本体３と、扉本体３の自由端３ａ側に設けられ扉枠２と扉本体３とを施解錠するロック機構５を備え、ロック機構５は、一方側から開扉するときは暗証番号の入力が必要であり、他方側から開扉するときは入力不要な暗唱番号錠で構成されていることを特徴とする。【選択図】図３
0003168372.tif 000002
【実用新案登録請求の範囲】
【請求項１】
建築現場の左右一対の支柱間にクランプ部材を介して固定される扉枠と
ヒンジ部材を介して前記扉枠に固定される扉本体と、
前記扉本体の自由端側に設けられ前記扉枠と扉本体とを施解錠するロック機構を備え、
前記ロック機構は、一方側から開扉するときは暗証番号の入力が必要であり、他方側から開扉するときは入力不要な暗唱番号錠で構成されていることを特徴とする仮設扉。
【請求項２】
前記扉本体は、前記ロック機構を支持する枠部材と、前記枠部材に設けられたメッシュ表板とを備え、前記メッシュ表板は、ロック機構が設けられている近傍部分はメッシュに構成されていない非メッシュ領域を備えることを特徴とする、請求項１に記載の仮設扉。
【請求項３】
前記ヒンジ部材は、扉本体を閉鎖する方向に付勢する付勢機構を備えていることを特徴とする、請求項1又は２に記載の仮設扉。
【考案の詳細な説明】
【技術分野】
【０００１】
本考案は、マンションなどの大規模改修現場、工事現場及び資材置き場など（以下、建築現場という。）に設けられた左右一対の支柱間に取り付けられる仮設扉に関するものである。
【背景技術】
【０００２】
建物の建築や補修などの工事において、使用する仮設足場内や資材の置場などには、部外者の侵入を防止するための養生枠が設けられ、その出入口には扉が設けられる。この種の扉は、吊り元側をヒンジで開閉自在に支持すると共に、自由端側をロック機構で施錠することが一般的である。
【０００３】
仮設扉に関する先行技術としては、例えば、特許文献１（特開２００４-３１６１５６号公報）に開示されているものが挙げられる。この仮設扉１００は、図６に示すように、建枠や養生枠の支柱１０１ａ、１００ｂなどの間に設けられるものである。第１の支柱１０１ａには、ヒンジ部材１０２を介して自由端側に扉本体１０３が取り付けられる。また、他方の自由端側の支柱１０１ｂには、扉本体１０３をロックするロック部品１０４が取り付けられる。仮設扉のロック機構としては、扉本体に設けられたスライダ１０５及びロック部品１０４に設けられたスライダ受け１０６を有し、南京錠などの別の錠前を用いて両者を固定することで施錠する。
【０００４】
そして、解錠する場合は、鍵を用いて南京錠などを開錠とし、スライダ１０５とスライダ受け１０６を移動させることにより行われる。
【先行技術文献】
【特許文献】
【０００５】
【特許文献１】特開２００４-３１６１５６号公報
【考案の概要】
【考案が解決しようとする課題】
【０００６】
しかし、南京錠などを用いて施錠するロック機構は、鍵の管理者により鍵が管理されている必要があり、また鍵の管理手間が大きいという問題がある。特に、大型工事で仮設扉が複数あるような場合は、鍵の数に応じて管理手間の負担が増大する。
【０００７】
また、上記仮設扉においては、南京錠を外側から取り付けるため、外部からは施錠、解錠が可能であるが、内部から施錠、解錠は不可能である。よって、例えば、囲いの内側から解錠できず避難口にならないという問題がある。
【０００８】
また、扉の開閉が頻繁に行われるような場合に、その都度南京錠などで施錠することは、施錠担当者の作業の効率が悪く、作業中は扉が施錠されていないという問題があった。
【０００９】
したがって、本考案が解決しようとする技術的課題は、鍵の管理の煩雑性を排し、施錠された状態であっても内部から開扉することができる仮設扉を提供することである。
【課題を解決するための手段】
【００１０】
本考案は、上記技術的課題を解決するために、以下の構成の仮設扉を提供する。
【００１１】
本考案の第１態様によれば、建築現場の左右一対の支柱間にクランプ部材を介して固定される扉枠と、
ヒンジ部材を介して前記扉枠に固定される扉本体と、
前記扉本体の自由端側に設けられ前記扉枠と扉本体とを施解錠するロック機構を備え、
前記ロック機構は、一方側から開扉するときは暗証番号の入力が必要であり、他方側から開扉するときは入力不要な暗唱番号錠で構成されていることを特徴とする仮設扉を提供する。
【００１２】
本考案の第２態様によれば、前記扉本体は、前記ロック機構を支持する枠部材と、前記枠部材に設けられたメッシュ表板とを備え、前記メッシュ表板は、ロック機構が設けられている近傍部分はメッシュに構成されていない非メッシュ領域を備えることを特徴とする、第１態様の仮設扉を提供する。
【００１３】
本考案の第３態様によれば、前記ヒンジ部材は、扉本体を閉扉する方向に付勢する付勢機構を備えていることを特徴とする、第１又は第２態様の仮設扉を提供する。
【考案の効果】
【００１４】
本考案によれば、建築現場において広く用いられている支柱の間に暗証番号錠で構成されたロック機構を備えた仮設扉を設けることにより、施錠及び解錠する場合の鍵の管理が不要であり、鍵の管理者の手間を軽減することができる。また、ロック機構は、扉本体を開扉するために、一方からは暗証番号の入力が必要で他方からは暗証番号の入力が不要であることから、例えば、外部からの侵入を防止するために施錠していた場合であっても、内部からの開扉は自由に行うことができる。したがって、当該出入り口を内部からの避難口とすることもできる。
【００１５】
また、ロック機構が設けられている近傍部分にメッシュ構造を採用しないことにより、表板のメッシュを通して外部から開扉することを防止することができる。
【００１６】
また、ヒンジ部材が扉本体を閉扉する方向に付勢することによって、閉め忘れを防止すすることができる。
【図面の簡単な説明】
【００１７】
【図１】本考案の仮設扉を建築現場の侵入防止壁に用いた実施形態を示す図であり、（ａ）は平面図、（ｂ）は正面図である。
【図２】本考案の実施形態にかかる仮設扉の平面図である。
【図３】図２の仮設扉の正面図である。
【図４】図２の仮設扉の背面図である。
【図５】図２の仮設扉の部分拡大斜視図である。
【図６】従来の仮設扉の構成を示す図である。
【考案を実施するための形態】
【００１８】
以下、本考案の一実施形態に係る仮設扉について、図面を参照しながら説明する。
【００１９】
図１は、本考案の仮設扉を建築現場の侵入防止壁に用いた実施形態を示す図である。図１の実施形態において、建築現場６０は、所定の間隔をおいて立設された支柱（足場管など）２０と、隣り合う支柱２０を接続するつなぎ梁２１と、外枠２３ａと金網等２３ｂからなる養生枠２３などから構成されている。このような建築現場６０において、資材置き場の出入り口とするために、任意の養生枠２３の代わりに仮設扉１を配置する。
【００２０】
図２は本考案の実施形態にかかる仮設扉の平面図である。図３は図２の仮設扉の正面図である。図４は図２の仮設扉の正面図である。本実施形態では、正面側が建築現場６０の外側、背面側が建築現場６０の内側に相当する。
【００２１】
本実施形態にかかる仮設扉１は、隣り合う２つの支柱２０（２０ａ，２０ｂ）の間にクランプ２４及び連結棹２５によって固定される。クランプ２４は、建地や足場管などに固定できるものであれば特にその構成は問わない。連結棹２５は、２つの支柱間の距離、扉枠の幅寸法、に応じて、適宜長さを調整すればよい。
【００２２】
仮設扉１は、クランプ２４に連結される扉枠２と、扉枠２に固定される扉本体３とを備える。
【００２３】
扉枠２は、図３に示すような扉本体３の側面全周にわたって設けられている枠形状の部材であり、クランプ２４によって、２本の支柱２０（２０ａ，２０ｂ）及びつなぎ梁２１に固定される。扉枠２と連結棹２５の連結は特に限定されるものではなく、溶接、ビス止め、クランプ止めなど従来用いられている方法により行うことができる。
【００２４】
扉枠２は、後述するように仮設扉１を支柱２０（２０ａ，２０ｂ）と連結し、また、ロック機構のラッチボルト１４と協働して扉本体３の施錠を可能にするためのものであればよく、その構成は問わない。例えば、図３に示すような扉本体３の全周にわたって設けられている枠形状の他に、扉本体３を支柱に固定するために扉本体３の固定端側の支柱２０ｂに固定される部材と、扉本体を施錠するために扉本体３の自由端側の支柱２０ａに固定される部材との２つに分割された構成であってもよい。
【００２５】
扉本体３は、ヒンジ部材４によって扉枠２に固定されており、図２に示すように、ヒンジ部材４と連結されていない自由端３ａ側が開閉する。自由端３ａ側には、ロック機構としての錠前５が設けられており、扉本体３の施錠・解錠を行う。
【００２６】
ヒンジ部材４は、扉本体３を閉鎖する方向に付勢する付勢機構を有している。付勢部材としては、各種公知のものを使用することができ、例えば、バネなどを用いたものが例示できる。付勢部材を備えたヒンジ部材４によって、扉本体３が自動的に閉まるため、閉め忘れを防止することができる。
【００２７】
ロック機構としての錠前５は、図３及び図４に示すように、暗唱番号錠で構成されている。暗証番号鍵とは、予め定められた暗証番号を入力することによって扉本体３の開扉が可能となる錠であり、扉の施錠・解錠に鍵が不要な錠である。暗唱番号錠には、機械式のものと電気式のものが存在するが本実施形態では、屋外に設置されることから、湿気等による耐腐食性に優れた機械式の暗証番号錠が用いられている。
【００２８】
本実施形態にかかる暗証番号錠は、建築現場６０の外側には、暗証番号を入力するためのボタン６が設けられており、外側ノブ７を操作して開扉するためには暗証番号の入力が必要である。一方、建築現場６０の内側ノブ８は、自由に操作することができるようになっており、内側から開扉するときは暗証番号の入力が不要である。
【００２９】
扉本体３は、外枠を形成する枠部材９と枠部材９の表面に配置される表板１０で構成されている。枠部材９には、ヒンジ部材４や暗唱番号錠５が固定される。
【００３０】
表板１０は、ほぼ全体にわたってパンチ孔１１が設けられているメッシュ部材で構成されている。表板１０の暗証番号錠５が設けられている近傍は、パンチ孔１１が設けられていない非メッシュ領域１２であり、外側からパンチ孔１１を通して内側ノブ８を操作することができないように構成されている。
【００３１】
図５に本実施形態の仮設扉の部分拡大斜視図を示す。図５に示すように、暗証番号錠５は、扉本体３のフロント面１３に対して進退可能に構成されたラッチボルト１４を備える。ラッチボルト１４は、通常時はフロント面１３に対して突出した状態となっており、扉枠２の箱受孔１５に挿入されることで扉本体３の施錠が行われる。また、ラッチボルト１４は、外側ノブ７及び内側ノブ８を操作することによって、フロント面１３内に収納され、扉本体３の開扉が可能となる。
【００３２】
また、ラッチボルト１４は、内側面側に斜辺１６が形成されており、扉本体３が閉まるときには、斜辺に沿ってラッチボルト１４が扉本体３内に押し込まれる。また、扉本体３が完全に閉まった状態では、箱受孔１５内にラッチボルト１４が係合するため、扉本体３が開かず、扉本体３が施錠される。
【００３３】
また、外側ノブ７の操作には暗証番号の入力が必要であるため、外側から扉本体３を開扉させるためには、暗証番号の入力が求められる。一方で、内側ノブ８の操作は、暗証番号が不要であるため、内側ノブ８を操作して開扉が可能である。
【００３４】
本実施形態にかかる仮設扉１は、図１に示すように、通常時は、ラッチボルト１４により施錠された状態となっている。扉本体３を外側からあける場合には、暗証番号の入力を行い、外側ノブ７を操作することで、ラッチボルト１４を収納させる。一方、扉本体３を内側からあける場合には、内側ノブ８を操作することで、ラッチボルト１４が扉本体３内に収容されるため、開扉可能である。したがって、部外者の建築現場６０内への侵入を防止することができると共に、内部からの出入りは自由である。したがって、鍵の管理が不要であり、管理者の手間を軽減することができると共に、避難口としても用いることができる。
【００３５】
また、扉本体３は、ヒンジ部材の付勢部材により自動的に閉じるため、いわゆるオートロック機能を備えた仮設扉とすることができる。また、上記のように外部からの解錠に際して鍵を必要としないため、運用上の問題が生じることがない。
【００３６】
以上説明したように、本考案の仮設扉によれば、鍵の管理の煩雑性を排し、施錠された状態であっても内部から開扉することができる。
【００３７】
なお、本考案は上記実施形態に限定されるものではなく、その他種々の態様で実施可能である。例えば、電気式の暗証番号錠を用いてもよい。
【符号の説明】
【００３８】
１  仮設扉
２  扉枠
３  扉本体
４  ヒンジ部材
５  錠前
６  ボタン
７  外側ノブ
８  内側ノブ
９  枠部材
１０  表板
１１  パンチ孔
１２  非メッシュ領域
１３  フロント面
１４  ラッチボルト
【図１】
0003168372.tif 000003
【図２】
0003168372.tif 000004
【図３】
0003168372.tif 000005
【図４】
0003168372.tif 000006
【図５】
0003168372.tif 000007
【図６】
0003168372.tif 000008